(57)【要約】【課題】より多い量の文字伝送が可能であると共に、メッセージの内容を容易に把握することができ、分かち書きなしで作成されて伝送された文字メッセージを、分かち書き形式に表示することができる端末機のメッセージ表示方法を提供する。【解決手段】端末機のメッセージ表示方法は、メッセージメニューで分かち書き表示機能を設定する過程と、文字メッセージを分かち書きなしで作成して伝送する過程と、前記分かち書き表示機能の設定状態によって、前記伝送された文字メッセージを分かち書き形式に整列して表示する過程とを含む。【選択図】図１
2005310129.tif 000002
【特許請求の範囲】
【請求項１】
文字メッセージを送受信する端末機において、
メッセージメニューで分かち書き表示機能を設定する過程と、
文字メッセージを分かち書きなしで作成して伝送する過程と、
前記分かち書き表示機能の設定状態によって、前記伝送された文字メッセージを分かち書き形式に整列して表示する過程と、
を含むことを特徴とする端末機のメッセージ表示方法。
【請求項２】
前記文字メッセージは、ＳＭＳ(Short Message Service)、ＬＭＳ(Long Message Service)、ＭＭＳ(MultimediaMessaging Service)または電子メール形態の文字メッセージを含むことを特徴とする請求項１に記載の端末機のメッセージ表示方法。
【請求項３】
前記文字メッセージは、移動端末機または有線端末機で作成されて伝送及び受信されることを特徴とする請求項１に記載の端末機のメッセージ表示方法。
【請求項４】
前記文字メッセージは、前記分かち書き表示機能の設定情報を含んで伝送されることを特徴とする請求項１に記載の端末機のメッセージ表示方法。
【請求項５】
前記設定情報は、１ビットで表現されることを特徴とする請求項４に記載の端末機のメッセージ表示方法。
【請求項６】
前記伝送された文字メッセージが前記分かち書き表示機能の設定情報を有するか否かを確認する過程をさらに含むことを特徴とする請求項１に記載の端末機のメッセージ表示方法。
【請求項７】
前記伝送された文字メッセージは、前記受信端の語彙辞典データベース(ＤＢ)に基づいて構文分析され、分かち書き形式に整列されて表示されることを特徴とする請求項１に記載の端末機のメッセージ表示方法。
【請求項８】
文字メッセージを送受信する端末機において、
送信端で分かち書き表示機能を設定して文字メッセージを伝送すると、前記分かち書き表示機能の設定状態によって、受信端で前記文字メッセージを分かち書き形式に整列して表示することを特徴とする端末機のメッセージ表示方法。
【請求項９】
前記分かち書き表示機能は、送信者がメッセージメニューで選択して設定することを特徴とする請求項８に記載の端末機のメッセージ表示方法。
【請求項１０】
前記文字メッセージは、分かち書きなしで作成されたものであることを特徴とする請求項８に記載の端末機のメッセージ表示方法。
【請求項１１】
前記文字メッセージは、前記分かち書き表示機能の設定情報を含んで伝送されることを特徴とする請求項８に記載の端末機のメッセージ表示方法。
【請求項１２】
前記設定情報は、１ビットで表現されることを特徴とする請求項１１に記載の端末機のメッセージ表示方法。
【請求項１３】
前記伝送された文字メッセージが前記分かち書き表示機能の設定情報を有するか否かを確認する過程をさらに含むことを特徴とする請求項８に記載の端末機のメッセージ表示方法。
【請求項１４】
前記伝送された文字メッセージは、前記受信端の語彙辞典データベース(ＤＢ)に基づいて構文分析され、分かち書き形式に整列されて表示されることを特徴とする請求項８に記載の端末機のメッセージ表示方法。
【発明の詳細な説明】
【技術分野】
【０００１】
本発明は、端末機に関し、特に、端末機の文字メッセージ表示方法に関する。
【背景技術】
【０００２】
無線通信技術の急速な発達と使用者の欲求の増大につれて、移動端末機(以下、端末機と称する)を通して、ＳＭＳ(Short Message Service)及びマルチメディアサービスのようなより多様なサービスが提供されている。
【０００３】
これらのサービスのうち、ＳＭＳは、ＰＴＰ(Point-to-Point)方式で比較的短いメッセージを伝達するサービスであって、端末機のアプリケーションプログラム、即ち、ＳＭＳエディタにより作成される。
【０００４】
使用者が端末機に備えられたメッセージメニューを選択すると、前記ＳＭＳエディタは、制御部の制御によって、ＬＣＤ(Liquid Crystal Display)にＳＭＳメッセージを作成するためのメインウィンドウを表示する。前記メインウィンドウで使用者がソフトキーを利用して言語メニューを選択すると、前記ＳＭＳエディタは、言語、数字、大文字、小文字及び特殊文字を選択するためのサブメニューを表示する。
【０００５】
従って、使用者は、前記サブメニューを適切に選択してＳＭＳメッセージを作成する。前記ＳＭＳメッセージを作成するとき、使用者は、受信者がメッセージの内容をより容易に把握できるように、分かち書き形式(単語と単語間に空白を挿入する形式)に合わせてメッセージを作成することができる。前記ＳＭＳメッセージの作成が完了すると、使用者は、送信キーを押圧して、テキスト情報及び電話番号または電子メール情報が含まれているＳＭＳメッセージを受信側に伝送する。
【発明の開示】
【発明が解決しようとする課題】
【０００６】
ところが、分かち書き形式にメッセージを作成して伝送する場合は、通常、メッセージに含まれている空白も文字として認識されるため、伝送可能な文字数が少なくなるという欠点がある。これは、メッセージに含まれている空白の数だけ文字伝送量の浪費が発生することを意味する。
【０００７】
また、より多くの文字を伝送するために、送信者が分かち書きなしでＳＭＳメッセージを作成して伝送することもできるが、この場合、受信者がメッセージの内容を把握しにくくなる。
【０００８】
本発明は、このような従来技術の問題点を解決するためになされたもので、より多い量の文字伝送が可能であると共に、メッセージの内容を容易に把握することができる有線及び移動端末機のメッセージ表示方法を提供することを目的とする。
【０００９】
本発明の他の目的は、分かち書きなしで作成されて伝送された文字メッセージを、分かち書き形式に表示することができる端末機のメッセージ表示方法を提供することにある。
【課題を解決するための手段】
【００１０】
上記の目的を達成するために、本発明による端末機のメッセージ表示方法は、送信端で分かち書き表示機能が設定された文字メッセージを伝送する過程と、前記分かち書き表示機能の設定状態によって、受信端で前記伝送された文字メッセージを分かち書き形式に整列して表示する過程とを含む。
【００１１】
好ましくは、前記分かち書き表示機能は、送信者がメッセージメニューで選択して設定する。
【００１２】
好ましくは、前記文字メッセージは、分かち書きなしで作成されたもので、分かち書き表示機能の設定情報を含んで伝送される。
【００１３】
好ましくは、前記文字メッセージは、ＳＭＳ(Short Message Service)、ＬＭＳ(Long Message Service)、ＭＭＳ(MultimediaMessaging Service)または電子メール形態の文字メッセージを含む。
【００１４】
好ましくは、前記伝送された文字メッセージが前記分かち書き表示機能の設定情報を有するか否かを確認する過程をさらに含む。
【００１５】
好ましくは、前記伝送された文字メッセージは、前記受信端の語彙辞典データベース(ＤＢ)に基づいて構文分析され、分かち書き形式に整列されて表示される。
【００１６】
本発明は、以下を提供する。
（１）文字メッセージを送受信する端末機において、
メッセージメニューで分かち書き表示機能を設定する過程と、
文字メッセージを分かち書きなしで作成して伝送する過程と、
上記分かち書き表示機能の設定状態によって、上記伝送された文字メッセージを分かち書き形式に整列して表示する過程と、
を含むことを特徴とする端末機のメッセージ表示方法。
（２）上記文字メッセージは、ＳＭＳ(Short Message Service)、ＬＭＳ(Long Message Service)、ＭＭＳ(MultimediaMessaging Service)または電子メール形態の文字メッセージを含むことを特徴とする項目１に記載の端末機のメッセージ表示方法。
（３）上記文字メッセージは、移動端末機または有線端末機で作成されて伝送及び受信されることを特徴とする項目１に記載の端末機のメッセージ表示方法。
（４）上記文字メッセージは、上記分かち書き表示機能の設定情報を含んで伝送されることを特徴とする項目１に記載の端末機のメッセージ表示方法。
（５）上記設定情報は、１ビットで表現されることを特徴とする項目４に記載の端末機のメッセージ表示方法。
（６）上記伝送された文字メッセージが上記分かち書き表示機能の設定情報を有するか否かを確認する過程をさらに含むことを特徴とする項目１に記載の端末機のメッセージ表示方法。
（７）上記伝送された文字メッセージは、上記受信端の語彙辞典データベース(ＤＢ)に基づいて構文分析され、分かち書き形式に整列されて表示されることを特徴とする項目１に記載の端末機のメッセージ表示方法。
（８）文字メッセージを送受信する端末機において、
送信端で分かち書き表示機能を設定して文字メッセージを伝送すると、上記分かち書き表示機能の設定状態によって、受信端で上記文字メッセージを分かち書き形式に整列して表示することを特徴とする端末機のメッセージ表示方法。
（９）上記分かち書き表示機能は、送信者がメッセージメニューで選択して設定することを特徴とする項目８に記載の端末機のメッセージ表示方法。
（１０）上記文字メッセージは、分かち書きなしで作成されたものであることを特徴とする項目８に記載の端末機のメッセージ表示方法。
（１１）上記文字メッセージは、上記分かち書き表示機能の設定情報を含んで伝送されることを特徴とする項目８に記載の端末機のメッセージ表示方法。
（１２）上記設定情報は、１ビットで表現されることを特徴とする項目１１に記載の端末機のメッセージ表示方法。
（１３）上記伝送された文字メッセージが上記分かち書き表示機能の設定情報を有するか否かを確認する過程をさらに含むことを特徴とする項目８に記載の端末機のメッセージ表示方法。
（１４）上記伝送された文字メッセージは、上記受信端の語彙辞典データベース(ＤＢ)に基づいて構文分析され、分かち書き形式に整列されて表示されることを特徴とする項目８に記載の端末機のメッセージ表示方法。
【００１７】
（発明の要旨）
本発明は、より多い量の文字伝送が可能であると共に、メッセージの内容を容易に把握することができ、分かち書きなしで作成されて伝送された文字メッセージを、分かち書き形式に表示することができる端末機のメッセージ表示方法を提供する。
【００１８】
本発明の端末機のメッセージ表示方法は、メッセージメニューで分かち書き表示機能を設定する過程と、文字メッセージを分かち書きなしで作成して伝送する過程と、前記分かち書き表示機能の設定状態によって、前記伝送された文字メッセージを分かち書き形式に整列して表示する過程とを含む。
【発明の効果】
【００１９】
本発明による端末機のメッセージ表示方法においては、空白なしでメッセージを伝送しても、自動で分かち書き形式に転換されたメッセージが提供されるため、相手方が伝送されたメッセージの内容を容易に把握できるという効果がある。
【００２０】
また、分かち書きして作成したメッセージを無線チャネルを通して伝送する場合は、作成されたメッセージの空白も文字として認識されるため、伝送可能な文字数が少なくなるが、本発明は、伝送可能文字量の浪費を招く前記空白に対する憂慮がない。言い換えれば、本発明は、分かち書きして作成されたメッセージの空白数だけ、より多くの文字を送ることができるという効果がある。
【発明を実施するための最良の形態】
【００２１】
本発明は、端末機を通して文字メッセージを伝送する全てのサービス、例えば、ＳＭＳ、ＬＭＳ、ＭＭＳ及び電子メールサービスで実現される。且つ、本発明は、他の標準によって動作する有線及び無線通信端末機にも適用されることができる。
【００２２】
一般に、送信者は、より多くの文字を伝送するために、分かち書きなしでＳＭＳメッセージを作成して伝送することができるが、この場合、受信者は、前記ＳＭＳメッセージの内容を容易に把握できなくなる。
【００２３】
従って、本発明は、より多い量の文字伝送が可能であると共に、メッセージの内容を容易に把握することができる方案を提示する。このために、本発明は、分かち書きなしで作成されたメッセージに分かち書き表示機能を設定して伝送することにより、受信者が分かち書きなしで作成されたメッセージを分かち書き形式に整列された状態で読むことができるようにする。
【００２４】
このようなメッセージ表示方法を実現するために、本発明による移動通信端末機は、単語、正書法、分かち書き及び外来語表記法などが格納された語彙辞典データベース(ＤＢ)と、受信メッセージが分かち書きなしで(空白区分なしで)作成された場合、前記語彙辞典データベースに基づいて構文を分析する構文分析器と、その分析結果に基づいて前記受信メッセージを整列するメッセージ整列器とを含む。
【００２５】
また、本発明による端末機は、プログラムを遂行して前記の各装置を制御するマイクロプロセッサ(ＭＰＵ)、前記プログラム及び語彙辞典データベースなどのデータが格納された記憶装置、文字メッセージを表示するＬＣＤのような出力装置、並びにＳＭＳメニューを選択／設定するためのキーボードのような入力装置などのハードウェアを基本的に含む。
【００２６】
図１は、本発明によるメッセージが伝送される動作フローチャートで、図２は、伝送されたメッセージが受信される動作フローチャートである。
【００２７】
図１及び図２に示すように、端末機を通して文字メッセージを相対方に伝送しようとするとき、使用者は、前記端末機のメッセージメニューを選択する(ステップＳ１０)。その後、前記メッセージメニューで、相対方の電話番号と、受信者がメッセージ受信時に分かち書き形式のメッセージを見ることができるように、分かち書き表示機能を選択して設定する(ステップＳ２０)。
【００２８】
使用者は、前記選択したメッセージメニューで、ＳＭＳエディタを利用して、単語と単語間に空白区分なしで文字メッセージを作成し(ステップＳ３０)、前記端末機の送信キーを押圧して相手方に伝送する(ステップＳ４０)。前記文字メッセージは、前記分かち書き表示機能の設定情報を含んでおり、前記文字メッセージの伝送信号は、使用者により作成された文字メッセージと、前記分かち書き表示機能の設定有無のチェックビットとが含まれている形態である。即ち、前記チェックビットは、前記分かち書き表示機能が設定された場合は「１」に、設定されていない場合は「０」にマーキングされて、前記文字メッセージと共に相手方に伝送される。
【００２９】
無線チャネルを通して伝送された前記文字メッセージを相手方の端末機の受信端が受信すると(ステップＳ５０)、前記端末機は、文字メッセージの到着を振動またはベル音などにより受信者に知らせる。その後、受信者が、前記受信された文字メッセージを確認するために、前記端末機のメッセージメニューで該当キーを押圧すると、前記端末機のマイクロプロセッサ(ＭＰＵ)は、前記受信された文字メッセージに分かち書き表示機能が設定されているか否かを確認する(ステップＳ６０)。即ち、前記文字メッセージのチェックビットが「１」または「０」の何れにマーキングされているかを確認する。
【００３０】
このとき、前記チェックビットが「１」にマーキングされて分かち書き表示機能が設定されている場合は、前記マイクロプロセッサの制御により、前記構文分析器が、語彙辞典データベースに基づいて前記受信された文字メッセージの構文を分析し、その分析結果に基づいて、前記メッセージ整列器が、前記受信された文字メッセージを分かち書き形式に整列してＬＣＤに表示する(ステップＳ７０)。逆に、前記チェックビットが「０」にマーキングされて分かち書き表示機能が設定されていない場合は、前記マイクロプロセッサは、前記受信された文字メッセージに前記分かち書き表示機能が設定されていないことを確認し、前記受信された文字メッセージを、伝送された文字メッセージの形態のままで、分かち書きのない形式にＬＣＤに表示する(ステップＳ８０)。
【００３１】
以下、前述の一連の過程を、図３ＡのＬＣＤに表示されたように、単語間に空白なしで英語で作成されたメッセージが受信された場合を例えて説明する。受信メッセージに分かち書き表示機能が設定(チェックビットが「１」にマーキング)されていると、受信端末機のマイクロプロセッサは、前記受信メッセージに前記分かち書き表示機能が設定されたことを確認する。その後、前記マイクロプロセッサの制御により、前記構文分析器が、語彙辞典データベースに基づいて前記受信メッセージの構文を分析し、前記メッセージ整列器が、前記受信メッセージを分かち書き形式に整列して、図３Ｂに示すように、空白が挿入された形態でＬＣＤに表示する。
【００３２】
本発明においては、前記語彙辞典データベースに基づく前記構文分析及びメッセージ整列方式として、例えば、音節バイグラム特性を利用して、各音節対に対する空白挿入確率と臨界値とを比較して分かち書きを実行する方式、音節単位条件確率を利用して、自動で分かち書きを実行する方式など、従来の関連発明から適切かつ効率的な方式を採択する。
【図面の簡単な説明】
【００３３】
【図１】本発明による文字メッセージを伝送する動作フローチャートである。
【図２】本発明よる伝送された文字メッセージを分かち書き形式に整列して表示する動作フローチャートである。
【図３Ａ】本発明による文字メッセージ表示形態の例示図である。
【図３Ｂ】本発明による文字メッセージ表示形態の例示図である。
【図１】
2005310129.tif 000003
【図２】
2005310129.tif 000004
【図３Ａ】
2005310129.tif 000005
【図３Ｂ】
2005310129.tif 000006